(57)【要約】【課題】本発明は、ディジタル信号の伝送装置、ディジタル信号の伝送方法及びディジタル信号の記録媒体に関し、例えばコンパクトディスクと、コンパクトディスクの記録再生装置に適用して、従来機器に対してもディジタルオーディオ信号を伝送でき、かつ著作権を有効に保護することができるようにする。【解決手段】本発明は、知覚できる程度に品質が劣化するように、かつ所定の処理により劣化した品質を回復することができるように、ディジタル信号ＤＡを操作して伝送する。【選択図】        図１
2007311017.tif 000002
【特許請求の範囲】
【請求項１】
複数チャンネルのディジタル信号でなる入力ディジタル信号のそれぞれのチャンネルのディジタル信号間で所定の演算処理を施して品質劣化のディジタル信号を生成する品質劣化手段と、
前記品質劣化のディジタル信号を伝送する伝送手段とを有し、
前記品質劣化のディジタル信号は、
前記所定の演算処理に基づいて信号処理することにより、前記入力ディジタル信号の品質に回復される
ことを特徴とするディジタル信号の伝送装置。
【請求項２】
前記品質劣化手段は、
前記入力ディジタル信号のうち少なくとも２チャンネルのディジタル信号の間で、加算処理および減算処理を施して前記品質劣化のディジタル信号を生成する
ことを特徴とする請求項１に記載のディジタル信号の伝送装置。
【請求項３】
前記品質劣化手段は、
前記減算処理により生成されたディジタル信号をデータ圧縮して圧縮ディジタル信号を生成し、
前記伝送手段は、
少なくとも前記加算処理により生成されたディジタル信号と前記圧縮ディジタル信号を伝送する
ことを特徴とする請求項２に記載のディジタル信号の伝送装置。
【請求項４】
前記伝送手段は、
光ディスクに前記品質劣化のディジタル信号を記録して前記品質劣化のディジタル信号を伝送する
ことを特徴とする請求項１に記載のディジタル信号の伝送装置。
【請求項５】
前記品質劣化のディジタル信号の品質を回復するのに必要なデータを前記光ディスクに記録して伝送する
ことを特徴とする請求項４に記載のディジタル信号の伝送装置。
【請求項６】
複数チャンネルのディジタル信号でなる入力ディジタル信号のそれぞれのチャンネルのディジタル信号間で所定の演算処理を施して品質劣化のディジタル信号を生成し、
前記品質劣化のディジタル信号を伝送するディジタル信号の伝送方法であって、
前記品質劣化のディジタル信号は、
前記所定の演算処理に基づいて信号処理することにより、前記入力ディジタル信号の品質に回復される
ことを特徴とするディジタル信号の伝送方法。
【請求項７】
前記品質劣化のディジタル信号の生成において、前記入力ディジタル信号のうち少なくとも２チャンネルのディジタル信号の間で、加算処理および減算処理を施して前記品質劣化のディジタル信号を生成する
ことを特徴とする請求項６に記載のディジタル信号の伝送方法。
【請求項８】
前記減算処理により生成されたディジタル信号をデータ圧縮して圧縮ディジタル信号を生成し、
少なくとも前記加算処理により生成されたディジタル信号と前記圧縮ディジタル信号を伝送する
ことを特徴とする請求項７に記載のディジタル信号の伝送方法。
【請求項９】
光ディスクに前記品質劣化のディジタル信号を記録して前記品質劣化のディジタル信号を伝送する
ことを特徴とする請求項６に記載のディジタル信号の伝送方法。
【請求項１０】
前記品質劣化のディジタル信号の品質を回復するのに必要なデータを前記光ディスクに記録して伝送する
ことを特徴とする請求項９に記載のディジタル信号の伝送方法。
【請求項１１】
複数チャンネルのディジタル信号でなる入力ディジタル信号のそれぞれのチャンネルのディジタル信号間で所定の演算処理を施して品質が劣化されてなる品質劣化のディジタル信号を、所定の伝送路より入力し、
前記品質劣化のディジタル信号の品質を、前記所定の演算処理に基づいて信号処理することにより回復する
ことを特徴とするディジタル信号の伝送方法。
【請求項１２】
前記品質回復工程において、前記品質劣化のディジタル信号のうち少なくとも２チャンネルのディジタル信号の間で、加算処理および減算処理を施して前記入力ディジタル信号の品質に回復する
ことを特徴とする請求項１１に記載のディジタル信号の伝送方法。
【請求項１３】
前記伝送路は、
光ディスクを有し、
前記ディジタル信号の伝送方法は、
前記光ディスクより前記品質劣化のディジタル信号を再生して、前記品質劣化のディジタル信号を入力する
ことを特徴とする請求項１１に記載のディジタル信号の伝送方法。
【請求項１４】
前記光ディスクより前記品質劣化のディジタル信号とともに、前記品質劣化のディジタル信号の品質を回復するのに必要なデータを再生して、前記品質劣化のディジタル信号及び前記データを入力する
ことを特徴とする請求項１３に記載のディジタル信号の伝送方法。
【請求項１５】
複数チャンネルのディジタル信号でなる入力ディジタル信号のそれぞれのチャンネルのディジタル信号間で所定の演算処理を施して品質を劣化させてなる品質劣化のディジタル信号を記録した
ことを特徴とするディジタル信号の記録媒体。
【請求項１６】
前記入力ディジタル信号のうち少なくとも２チャンネルのディジタル信号の間で、加算処理および減算処理を施して前記品質劣化のディジタル信号を生成する
ことを特徴とする請求項１５に記載のディジタル信号の記録媒体。
【請求項１７】
前記品質劣化のディジタル信号の品質を回復するのに必要なデータを記録した
ことを特徴とする請求項１５に記載のディジタル信号の記録媒体。
【発明の詳細な説明】
【技術分野】
【０００１】
本発明は、ディジタル信号の伝送装置、ディジタル信号の伝送方法及びディジタル信号の記録媒体に関し、例えばコンパクトディスクと、コンパクトディスクの記録再生装置に適用することができる。本発明は、知覚できる程度に品質が劣化するように、かつ所定の処理により劣化した品質を回復することができるように、ディジタル信号を操作して伝送することにより、従来機器に対してもディジタルオーディオ信号を伝送でき、かつ著作権を有効に保護することができるようにする。
【背景技術】
【０００２】
従来、コンパクトディスクプレイヤー等のディジタルオーディオ機器においては、ＳＣＭＳ（Serial Copy Management System ）により著作権を保護するようになされている。
【０００３】
すなわちコンパクトディスクプレイヤーは、コンパクトディスクにレーザービームを照射して得られる再生信号を２値識別して再生データを得、この再生データをＥＦＭ復調、誤り訂正処理、デインターリーブ処理し、ディジタルオーディオ信号を再生する。コンパクトディスクプレイヤーは、アナログ信号入力のオーディオ機器に対してはこのディジタルオーディオ信号をディジタルアナログ変換して出力するのに対し、ディジタルオーディオ機器等に対しては、このディジタルオーディオ信号を所定のフォーマットにより出力する。コンパクトディスクプレイヤーは、このフォーマットにおいて、コピー禁止、１回に限るコピー許可、無制限なコピー許可を示すコードを設定し、これにより著作権者の意図を反映して著作権を保護するようになされている。
【０００４】
ところでこのようなコードを付加してディジタルオーディオ信号を出力する場合でも、この種のコードを無視して動作する機器においては、著作権者の意図に反して無制限にコピーされる場合がある。
【０００５】
この問題を解決する１つの方法として例えばディジタルオーディオ信号をスクランブル処理して伝送する方法が考えられる。この方法の場合、例えばデスクランブル処理に必要なキーデータの授受により著作権者の意図に従って各種作品を保護できると考えられる。
【０００６】
ところがこのようにすると従来のオーディオ機器に対しては、ディジタルオーディオ信号を伝送できなくなる問題がある。
【特許文献１】特開平１０−１３５９４４号公報
【特許文献２】特開平０８−００６８７９号公報
【特許文献３】特開平１０−０６９７２２号公報
【発明の開示】
【発明が解決しようとする課題】
【０００７】
本発明は以上の点を考慮してなされたもので、従来機器に対してもディジタル信号を伝送でき、かつ著作権を有効に保護することができるディジタル信号の伝送装置、ディジタル信号の伝送方法及びディジタル信号の記録媒体を提案しようとするものである。
【課題を解決するための手段】
【０００８】
かかる課題を解決するため請求項１の発明は、ディジタル信号の伝送装置に適用して、複数チャンネルのディジタル信号でなる入力ディジタル信号のそれぞれのチャンネルのディジタル信号間で所定の演算処理を施して品質劣化のディジタル信号を生成する品質劣化手段と、前記品質劣化のディジタル信号を伝送する伝送手段とを有し、前記品質劣化のディジタル信号は、前記所定の演算処理に基づいて信号処理することにより、前記入力ディジタル信号の品質に回復される。
【０００９】
また請求項６の発明は、複数チャンネルのディジタル信号でなる入力ディジタル信号のそれぞれのチャンネルのディジタル信号間で所定の演算処理を施して品質劣化のディジタル信号を生成し、前記品質劣化のディジタル信号を伝送するディジタル信号の伝送方法に適用して、前記品質劣化のディジタル信号は、前記所定の演算処理に基づいて信号処理することにより、前記入力ディジタル信号の品質に回復される。
【００１０】
また請求項１１の発明は、ディジタル信号の伝送方法に適用して、複数チャンネルのディジタル信号でなる入力ディジタル信号のそれぞれのチャンネルのディジタル信号間で所定の演算処理を施して品質が劣化されてなる品質劣化のディジタル信号を、所定の伝送路より入力し、前記品質劣化のディジタル信号の品質を、前記所定の演算処理に基づいて信号処理することにより回復する。
【００１１】
また請求項１５の発明は、ディジタル信号の記録媒体に適用して、複数チャンネルのディジタル信号でなる入力ディジタル信号のそれぞれのチャンネルのディジタル信号間で所定の演算処理を施して品質を劣化させてなる品質劣化のディジタル信号を記録する。
【００１２】
請求項１、請求項６、請求項１１、又は請求項１５の構成により、品質劣化のディジタル信号を伝送すれば、伝送されたディジタル信号を直接処理する機器においても利用することができる。これにより従来機器に対してもディジタル信号を伝送することが可能となる。このときこのディジタル信号をそっくりコピーするような、著作権の保護が疑わしい場合には、劣化した品質によりディジタル信号がコピーされることになり、これにより著作権の保護が図られる。これに対してこの品質劣化のディジタル信号においては、回復可能に品質が劣化していることにより、著作権を確実に保護可能な機器においては、品質を回復してディジタル信号を処理することにより、高品質のディジタル信号を提供することが可能となる。
【発明の効果】
【００１３】
本発明によれば、知覚できる程度に品質が劣化するように、かつ所定の処理により劣化した品質を回復することができるように、ディジタル信号を操作して伝送することにより、従来機器に対してもディジタル信号を伝送でき、かつ著作権を有効に保護することができる。
【発明を実施するための最良の形態】
【００１４】
以下、適宜図面を参照しながら本発明の実施例を詳述する。
【実施例１】
【００１５】
（１）第１の実施例
図１は、コンパクトディスクの製造に使用する光ディスク記録装置を示すブロック図である。この第１の実施例においては、この光ディスク記録装置１により露光されたディスク原盤２を現像した後、電鋳処理することにより、マザーディスクが作成される。さらにこのマザーディスクを用いてコンパクトディスクが作成される。なおこの実施例は、本発明の参考例としての実施例である。
【００１６】
このようにして露光処理されるディスク原盤２は、例えば平坦なガラス基板に感光剤を塗布して形成される。スピンドルモータ３は、スピンドルサーボ回路４の制御によりこのディスク原盤２を回転駆動する。このときスピンドルモータ３は、底部に設けられたＦＧ信号発生器により所定の回転角毎に信号レベルが立ち上がるＦＧ信号ＦＧを出力する。スピンドルサーボ回路４は、このＦＧ信号ＦＧが所定周波数になるようにスピンドルモータ３を駆動し、これによりディスク原盤２を線速度一定の条件により回転駆動する。
【００１７】
記録用レーザー５は、ガスレーザー等により構成され、所定光量のレーザービームを射出する。光変調器６は、電気音響光学素子等により構成され、記録用レーザー５から入射するレーザービームＬを駆動信号Ｓ３に従ってオンオフ制御する。
【００１８】
ミラー８は、レーザービームＬの光路を折り曲げ、ディスク原盤２に向けて射出する。対物レンズ９は、このミラー８の反射光をディスク原盤２の記録面に集光する。ミラー８及び対物レンズ９は、図示しないスレッド機構により、ディスク原盤２の回転に同期してディスク原盤２の半径方向に順次移動するようになされている。これにより光ディスク記録装置１は、レーザービームＬの集光位置をディスク原盤２の外周方向に順次変位させ、ディスク原盤２上にラセン状にトラックを形成する。またこのとき、このトラック上に、変調信号Ｓ３に応じたピット列を形成する。
【００１９】
ビット操作部１０は、所定のサーバーより出力される１６ビットパラレルのオーディオデータＤＡを受け、このオーディオデータＤＡの下位側８ビットを操作する。ここでビット操作部１０は、下位８ビットについては、２ビット単位で区切って、各２ビットの組み合わせを所定の規則に従って変換することにより、これらのビットを操作する。すなわち図２に２ビットの組み合わせにより示すように、論理「００」の組み合わせについては、論理「１１」の組み合わせに変更し、論理「０１」の組み合わせについては、論理「１０」の組み合わせに変更する。また論理「１０」及び「１１」の組み合わせについては、それぞれ論理「００」及び「０１」の組み合わせに変更する。
【００２０】
これによりビット操作部１０は、ディジタルオーディオ信号の品質である音質について、劣化が知覚できる程度に音質を劣化させる。さらにこのとき劣化した音質を回復することができるように音質を劣化させる。
【００２１】
データ処理回路１１は、コンパクトディスクのリードインエリアに記録するＴＯＣのデータＤＩを入力し、このＴＯＣのデータＤＩをコンパクトディスクについて規定されたフォーマットに従って処理する。これによりデータ処理回路１１は、ピット列に対応するチャンネルデータを生成して出力する。またデータ処理回路１１は、同様にして、ビット操作部１０より出力されるディジタル信号Ｄ２をコンパクトディスクについて規定されたフォーマットに従って処理し、ピット列に対応するチャンネルデータを生成して出力する。
【００２２】
このようにして記録するＴＯＣのデータは、ディジタルオーディオ信号ＤＡがビット操作されて記録されていることを示すディスク識別データＩＤと、マザーディスクより作成されるオリジナルのコンパクトディスクであることを示すコピー識別データＩＣとが割り当てられるようになされている。これによりこの実施例では、再生時、このディスク識別データＩＤの検出結果に基づいて、ビット操作されたディジタルオーディオ信号ＤＡを再生できるようになされている。またコピー識別データＩＣに基づいて、オリジナルのコンパクトディスクかコピーされたコンパクトディスクかを判定できるようになされている。
【００２３】
駆動回路１２は、このようにしてデータ処理回路１１より出力されるチャンネルデータＤ３を受け、このチャンネルデータＤ３の論理レベルに対応して信号レベルが変化する駆動信号Ｓ３を生成する。
【００２４】
これによりこの実施例においては、ディジタルオーディオ信号ＤＡを構成する１６ビットのデータのうち、８ビットについては、通常のコンパクトディスクプレイヤーで再生して正しく再生できるようにディスク原盤２に記録され、残る下位側８ビットについては、通常のコンパクトディスクで再生されたオーディオデータをさらに図２について上述した変換規則に従ってビット操作して正しく再生できるようになされている。
【００２５】
以下、この図１の光ディスク記録装置１により製造されるコンパクトディスクを従来からのコンパクトディスクと区別して示す場合にはＥＣＤディスクと呼ぶ。
【００２６】
図３は、コンパクトディスクプレイヤーを示すブロック図であり、従来からのコンパクトディスク、ＥＣＤディスクを再生する。すなわちこのコンパクトディスクプレイヤー２０において、コンパクトディスク２１は、光ピックアップ２３より得られる再生信号ＲＦを基準にしてスピンドルモータ２２により線速度一定の条件により回転駆動される。
【００２７】
ＲＦ回路２４は、光ピックアップ２３より得られる再生信号ＲＦを所定利得で増幅して出力し、ＥＦＭ（eight to fourteen ）復調回路２５は、ＲＦ回路２４より出力される再生信号を２値識別して再生データを生成する。さらにＥＦＭ復調回路２５は、この再生データをＥＦＭ復調して出力する。
【００２８】
ＣＩＲＣデコーダ２６は、このＥＦＭ復調回路２５をデスクランブル処理すると共に、記録時に付加した誤り訂正符号により誤り訂正処理し、これによりディジタルオーディオ信号Ｄ４を再生して出力する。かくするにつきコンパクトディスクプレイヤー２０においては、コンパクトディスク２１が従来からのコンパクトディスクの場合、このディジタルオーディオ信号Ｄ４が１６ビットの高音質により出力されるのに対し、コンパクトディスク２１がＥＣＤディスクの場合、この１６ビットのうち下位側８ビットがビット操作されて、その分音質が劣化して出力されることになる。
【００２９】
ビット操作部２８は、図２について上述した変換規則を逆に辿るように、ディジタルオーディオ信号Ｄ４の下位側８ビットをビット操作する。これによりビット操作部２８は、コンパクトディスク２１がＥＣＤディスクの場合、劣化したディジタルオーディオ信号Ｄ４の音質を回復して出力する。
【００３０】
ディスク判別部２９は、システムコントローラにより構成される。ここでシステムコントローラは、コンパクトディスク２１が装填されると、光ピックアップ２３をシークさせ、コンパクトディスク２１のリードインエリアよりコンパクトディスク２１に記録された曲数、演奏時間等の情報を取得し、所定の表示手段により表示する。このときシステムコントローラは、併せてコンパクトディスク２１のディスク識別データＩＤを取得し、このディスク識別データＩＤに従ってコンパクトディスク２１が従来からのコンパクトディスクかＥＣＤディスクかを判定する。ディスク判別部２９は、この判定結果に基づいて選択回路３０の接点を切り換え制御する。
【００３１】
またディスク判別部２９は、同様に取得したコピー識別データＩＣに基づいて、コンパクトディスク２１がコピーによるコンパクトディスクか否か判定する。ここでこのようなコピーによるコンパクトディスクは、例えばコンピュータによってオリジナルのコンパクトディスクに記録された内容をＣＤ−ＲＯＭにダビングして作成されるものである。ディスク判別部２９は、この判定結果に基づいてスイッチ回路３４の動作を切り換え、これによりコンパクトディスク２１がコピーによる場合、ディジタルオーディオ信号の出力を中止するようになされている。
【００３２】
選択回路３０は、コンパクトディスク２１が従来からのコンパクトディスクの場合、ＣＩＲＣデコーダ２６より出力されるディジタルオーディオ信号Ｄ４をディジタルアナログ変換回路（Ｄ／Ａ）３１に選択出力するのに対し、コンパクトディスク２１がＥＣＤディスクの場合、ビット操作部２８より出力される音質が回復されてなるディジタルオーディオ信号を選択出力する。
【００３３】
ディジタルアナログ変換回路３１は、この選択回路３０より出力されるディジタルオーディオ信号をディジタルアナログ変換処理し、アナログ信号によるオーディオ信号ＳＡを出力する。これによりコンパクトディスクプレイヤー２０においては、図４に示すように、アナログ信号による再生音質においては、従来からのコンパクトディスクの場合でも、ＥＣＤディスクの場合でも、１６ビット相当の高音質（ＣＤ音質として示す）により再生できるようになされている。なおこの図４においては、この図３に示す構成のコンパクトディスク２１をＥＣＤプレーヤーとして、従来からのコンパクトディスクプレイヤーをＣＤプレーヤーとして示す。また従来からのコンパクトディスクをＣＤディスクとして示し、ビット操作により低下した音質をＦＭ音質として示す。
【００３４】
なお従来のコンパクトディスクプレイヤーにおいては、ＣＩＲＣデコーダ２６より出力されるディジタルオーディオ信号Ｄ４がビット操作部２８を介すことなく出力されることにより、従来からのコンパクトディスク及びＥＣＤディスクの場合、それぞれＣＤ音質及びＦＭ音質により出力されることになる。
【００３５】
インターフェース（Ｉ／Ｆ）３２は、外部機器等との間の種々のデータを送受する入出力回路を構成し、ＳＣＭＳのフォーマットによりパーソナルコンピュータにディジタルオーディオ信号を出力し、またディジタルオーディオ信号に関連する各種データを送受する。
【００３６】
外部機器判別部３３は、ディスク判別部２９と同様に、このコンパクトディスクプレイヤー２０のシステムコントローラにより構成され、インターフェース３２を介して外部機器との間で所定の認証処理を実行する。この認証処理において、外部機器判別部３３は、所定のデータを外部機器に対して送出すると共に、このデータに対する外部機器からの応答により、このインターフェース３２に接続されたコンピュータが著作権の保護を図る機器であるか否か判断する。
【００３７】
ここでこのように著作権の保護を図る機器とは、コピーからコピー（いわゆるニ次のコピーである）の作成を禁止する機能を有する機器であり、例えばこのコンパクトディスクプレイヤー２０のように、コンパクトディスク２１がコピーによる場合には、ディジタルオーディオ信号の出力を中止して外部機器によるディジタルオーディオ信号の記録を阻止できるような機器を意味する。従って例えば外部機器がパーソナルコンピュータであって、このコンパクトディスクプレイヤー２０から出力されるディジタルオーディオ信号よりコピーのコンパクトディスクを作成する場合には、このパーソナルコンピュータが、コピー識別データＩＣを正しく設定する機能を有する場合に著作権の保護を図る機器に該当する。（図４においては従来のパーソナルコンピュータ（従来ＰＣ）との対比により二次コピー禁止のＰＣとして示す）。
【００３８】
選択回路３５は、この外部機器判別部３３の判定結果に基づいて、外部機器が著作権の保護を図る機器の場合、選択回路３０より出力されるディジタルオーディオ信号を選択出力するのに対し、外部機器が著作権の保護を図る機器でない場合、ＣＩＲＣデコーダ２６より出力されるディジタルオーディオ信号Ｓ４を選択出力する。これにより選択回路３５は、外部機器が著作権の保護を図る機器の場合、コンパクトディスク２１が従来のコンパクトディスクの場合でも、ＥＣＤディスクの場合でも、高音質によるディジタルオーディオ信号を出力する。これに対して外部機器が著作権の保護を図る機器でない場合、コンパクトディスク２１が従来のコンパクトディスクの場合には高音質によるディジタルオーディオ信号を出力するのに対し、コンパクトディスク２１がＥＣＤディスクの場合、劣化した音質によりディジタルオーディオ信号を出力する。
【００３９】
スイッチ回路３４は、この選択回路３５より出力されるディジタルオーディオ信号を直接に、又はインターフェース３２を介して外部機器に出力する。このときスイッチ回路３４は、ディスク判別部２９によるディスク判定結果に基づいて、コンパクトディスク２１がコピーによるディスクの場合、これらディジタルオーディオ信号の出力を中止する。
【００４０】
以上の構成において、コンパクトディスクの製造工程において（図１）、１６ビットによるディジタルオーディオ信号ＤＡは、ビット操作部１０において一定の規則に従って（図２）下位側８ビットがビット操作され、これにより知覚できる程度に音質が劣化される。ディジタルオーディオ信号ＤＡは、その後、通常のコンパクトディスクを作成する場合と同様にしてディスク原盤２に記録された後、このディスク原盤２よりマザーディスク、スタンパが順次作成され、このスタンパよりコンパクトディスクに記録される。これに対して従来からのコンパクトディスクにおいては、何らディジタルオーディオ信号の音質が劣化されることなくコンパクトディスクに記録されることになる。
【００４１】
このようにしてディスク原盤２を露光する際に、所定のサーバーより出力されるＴＯＣのデータによりリードインエリアが形成され、このＴＯＣのデータに割り当てられたディスク識別データＩＤにより音質を劣化させて記録したコンパクトディスクか、従来からのコンパクトディスクかを識別可能に設定される。また同様にしてＴＯＣのデータに割り当てられたコピー識別データＩＣにより、オリジナルのコンパクトディスクか、コピーによるコンパクトディスクかを識別可能に設定される。
【００４２】
このようにして作成されるコンパクトディスク２１においては、コンパクトディスクプレイヤー２０（図３）において、光ピックアップ２３で検出される再生信号がＲＦ回路２４で増幅された後、ＥＦＭ復調回路２５で復調されて再生データが生成され、この再生データがデスクランブル処理、誤り訂正処理されて元のディジタルオーディオ信号が出力される。
【００４３】
従来からのコンパクトディスクプレイヤーにおいては、この誤り訂正処理されてＣＩＲＣデコーダ２６より出力されるディジタルオーディオ信号Ｄ４が外部機器に出力され、またアナログ信号に変換されて出力されることになる。これにより従来からのコンパクトディスクプレイヤーに従来からのコンパクトディスクを装填した場合、１６ビットによる高音質のディジタルオーディオ信号が直接に又はアナログ信号に変換されて出力される（図４）。これに対して従来からのコンパクトディスクプレイヤーにＥＣＤディスクを装填した場合、音質が劣化してなるほぼ８ビット相当分によりディジタルオーディオ信号が出力されることになる。
【００４４】
これによりこのコンパクトディスクにおいては、従来のコンパクトディスクプレイヤーによっても再生することが可能となる。
【００４５】
これに対してこのＥＣＤディスクを再生可能なコンパクトディスクプレイヤー２０においては、ＣＩＲＣデコーダ２６より出力されるディジタルオーディオ信号がビット操作部２８に入力され、ここで記録時とは逆に下位側８ビットがビット操作される。これによりコンパクトディスク２１がＥＣＤディスクの場合、音質を回復してなるディジタルオーディオ信号が出力される。
【００４６】
コンパクトディスクプレイヤー２０においては、コンパクトディスクのリードインエリアよりＴＯＣのデータが事前に再生され、このＴＯＣのデータに割り当てられたディスク識別データＩＤより、コンパクトディスク２１が従来からのコンパクトディスクかＥＣＤディスクか判定される。これによりコンパクトディスク２１が従来からのコンパクトディスクの場合、ＣＩＲＣデコーダ２６より出力されるディジタルオーディオ信号Ｄ４が選択回路３０、選択回路３５、スイッチ回路３４、インターフェース３２を介してＳＣＭＳのフォーマットにより外部機器に出力される。さらにこのディジタルオーディオ信号Ｄ４が選択回路３０を介してディジタルアナログ変換回路３１に入力され、ここでアナログ信号に変換されて出力されることになる。
【００４７】
これにより従来からのコンパクトディスクを再生する場合には、従来からのコンパクトディスクプレイヤーにより再生する場合と同様に、高音質による再生結果を外部機器に出力して種々に利用することが可能となる。またＳＣＭＳにより著作権の保護を図ることが可能となる。これによりこのコンパクトディスクプレイヤー２０においては、既存のユーザーの権利を何ら制限することなく従来からのコンパクトディスクを利用することが可能となる。
【００４８】
これに対してコンパクトディスク２１がＥＣＤディスクの場合、ビット操作部２８で音質が回復されてなるディジタルオーディオ信号が生成され、このディジタルオーディオ信号が選択回路３０、ディジタルアナログ変換回路３１を介してアナログ信号により出力される。これによりＥＣＤディスクにおいても、従来からのコンパクトディスクと同様に、高音質によりオーディオ信号を試聴でき、またアナログ信号の場合に限り、従来と同様に高音質により私的にコピーして楽しむことが可能となる。
【００４９】
これに対してコンパクトディスク２１がＥＣＤディスクの場合で、外部機器にディジタルオーディオ信号を出力する場合には、インターフェース３２を介して外部機器との間で認証処理が実行され、外部機器が従来のパーソナルコンピュータのように、ＳＣＭＳによるコードを無視する機器か否か判断される。これにより外部機器が著作権の保護を図る機器か否か判定され、著作権の保護を図る機器の場合、ビット操作部２８により音質を回復したディジタルオーディオ信号が選択回路３０、選択回路３５、スイッチ回路３４、インターフェース３２を介して外部機器に出力される。
【００５０】
これにより高品質のディジタルオーディオ信号が外部機器に出力され、この外部機器が著作権の保護を図る機器であることにより、コピーからさらにコピーを作成するような違法な複製が禁止される。
【００５１】
これに対して外部機器が著作権の保護を図る機器でない場合、この場合無制限なディジタル信号によるコピーが実行される場合があることにより、コンパクトディスクプレイヤー２０においては、ＣＩＲＣデコーダ２６より出力される音質が劣化してなるディジタルオーディオ信号Ｄ４が、選択回路３５、スイッチ回路３４、インターフェース３２を介して外部機器に出力される。これによりこのように無制限なディジタル信号によるコピーが許される恐れのある場合、アナログ信号によりコピーを繰り返した場合のように、音質が劣化してなるディジタルオーディオ信号を出力し、繰り返しコピーしても音質が劣化しないと言うディジタル信号によるコピーの長所を生かすことができないようになされる。
【００５２】
これに対して著作権の保護を図る外部機器において、高音質のディジタルオーディオ信号を出力して作成されるコピーにおいては、この種のコンパクトディスクプレイヤー２０に装填した際に、リードインエリアに記録されたコピー識別データＩＣにより判定できることにより、このコンパクトディスクプレイヤー２０においては、スイッチ回路３４によりディジタルオーディオ信号の出力が中止され、これによりＥＣＤディスクに記録されたディジタルオーディオ信号を高音質のディジタルオーディオ信号により外部機器に出力する場合でも、無制限なコピーが防止される。
【００５３】
以上の構成によれば、音質の劣化を知覚できるように、また回復劣化した音質を回復できるようにディジタルオーディオ信号の音質を劣化させ、このディジタルオーディオ信号を記録することにより、従来のコンパクトディスクプレイヤーによっても再生可能で、かつ著作権を有効に保護することができるコンパクトディスクと、コンパクトディスクを作成する光ディスク記録装置を得ることができる。
【００５４】
また外部機器を判定してこのようにして記録したディジタルオーディオ信号を直接に、又は音質を回復して出力することにより、従来のコンパクトディスクを再生可能で、かつ著作権を有効に保護することができるコンパクトディスクプレイヤーを得ることができる。
【実施例２】
【００５５】
（２）第２の実施例
この実施例において、光ディスク記録装置は、第１の実施例に係る光ディスク記録装置１と同様に音質を劣化してなるディジタルオーディオ信号によりディスク原盤２を露光する。このときこの実施例に係る光ディスク記録装置は、ディジタルオーディオ信号に付加して記録するサブコードによる時間情報を基準にして、一定の期間の間、一定の周期で、第１の実施例と同様のビット操作の処理を実行する。これによりこの実施例では、劣化を知覚できるように、ディジタルオーディオ信号の音質を劣化させ、また劣化した音質を回復できるようにする。なおこの実施例は、本発明の参考例としての実施例である。
【００５６】
これに対してコンパクトディスクプレイヤーにおいては、第１の実施例に係るコンパクトディスクプレイヤー２０と同様にしてコンパクトディスクよりディジタルオーディオ信号を再生し、外部機器に出力する。このときこの実施例に係るコンパクトディスクプレイヤーは、コンパクトディスクを再生して得られる再生データよりサブコードを取得する。さらにこのサブコードより時間情報を取得し、この時間情報を基準にして再生したディジタルオーディオ信号の音質を回復する。
【００５７】
この第２の実施例に係る構成によれば、サブコードに割り当てられた時間情報を基準にして第１の実施例と同様のビット操作を一定周期で繰り返すことにより、第１の実施例と同様の効果を得ることができる。特にこのようにしてサブコードに割り当てられた時間情報においては、サブコード自体は、ディジタルオーディオ信号に付加されて出力されないことにより、これをコピーすることが困難な特徴がある。これにより第１の実施例に比して違法コピーをさらに有効に防止することができる。
【実施例３】
【００５８】
（３）第３の実施例
この第３の実施例において、光ディスク記録装置は、第１又は第２の実施例に係る光ディスク記録装置１と同様にしてディジタルオーディオ信号の音質を劣化してディスク原盤２を露光する。このときこの実施例に係る光ディスク記録装置は、公開鍵暗号、ＤＥＳ（Data Encryption Standard）等の手法によりディジタルオーディオ信号の下位側８ビットを暗号化処理することにより、ディジタルオーディオ信号の音質を劣化させてディスク原盤を露光する。これによりこの実施例では、劣化を知覚できるように、ディジタルオーディオ信号の音質を劣化させ、また劣化した音質を回復できるようにする。なおこの実施例は、本発明の参考例としての実施例である。
【００５９】
これに対してコンパクトディスクプレイヤーにおいては、第１又は第２の実施例に係るコンパクトディスクプレイヤー２０と同様にしてコンパクトディスクよりディジタルオーディオ信号を再生し、外部機器に出力する。このときこの実施例に係るコンパクトディスクプレイヤーにおいては、光ディスク記録装置における暗号化の処理に対応する処理によりディジタルオーディオ信号の音質を回復する。
【００６０】
この第３の実施例によれば、ディジタルオーディオ信号の下位側ビットを暗号化して音質を劣化させるようにしても、第１の実施例と同様の効果を得ることができる。さらに暗号化したことにより、一段と強力に著作権を保護することができる。
【実施例４】
【００６１】
（４）第４の実施例
この実施例において、光ディスク記録装置は、第１の実施例に係る光ディスク記録装置１と同様に音質を劣化してなるディジタルオーディオ信号によりディスク原盤２を露光する。なおこの実施例は、本発明の参考例としての実施例である。
【００６２】
すなわち光ディスク記録装置は、１８ビットのディジタルオーディオ信号をサーバーより入力し、ビット操作部において、この１８ビットのディジタルオーディオ信号より音質の劣化した１６ビットのディジタルオーディオ信号を生成する。
【００６３】
すなわち図５に示すように、ビット操作部５０は、１８ビットのディジタルオーディオ信号を上位側８ビットと下位側１０ビットに分解する。さらにビット操作部５０は、この下位側１０ビットをデータ処理回路５１によりデータ圧縮処理又は非線形量子化処理し、８ビットによるディジタルオーディオ信号を生成する。
【００６４】
ビット操作部５０は、このようにして生成した下位側８ビットのディジタルオーディオ信号と、上位側８ビットのディジタルオーディオ信号とをそれぞれ上位側８ビット及び下位側８ビットに割り当てて１６ビットの合成ディジタルオーディオ信号を生成する。これによりこの実施例では、劣化を知覚できるように、１８ビットのディジタルオーディオ信号を１６ビットの合成ディジタルオーディオ信号に変換してディジタルオーディオ信号の音質を劣化させ、また劣化した音質を回復できるようにする。光ディスク記録装置は、この合成ディジタルオーディオ信号によりディスク原盤２を露光してコンパクトディスクを作成する。
【００６５】
これに対してコンパクトディスクプレイヤーにおいては、第１又は第２の実施例に係るコンパクトディスクプレイヤー２０と同様にしてコンパクトディスクよりディジタルオーディオ信号を再生し、外部機器に出力する。
【００６６】
このときコンパクトディスクプレイヤーにおいては、コンパクトディスクより得られる再生データより合成ディジタルオーディオ信号を再生し、ビット操作部においてこの合成ディジタルオーディオ信号の音質を回復する。すなわちビット操作部５２は、図６に示すように、データ処理回路５３において、光ディスク記録装置における処理に対応したデータ伸長処理又は非線形逆量子化処理によりディジタルオーディオ信号の音質を回復し、外部機器に選択的に出力する。
【００６７】
第４の実施例によれば、データ圧縮処理又は非線形量子化処理によりディジタルオーディオ信号の音質を劣化させるようにしても、上述の実施例と同様の効果を得ることができる。またデータ圧縮処理又は非線形量子化処理によりディジタルオーディオ信号の音質を劣化させ、さらに劣化させた音質を回復することにより、著作権の保護を図る外部機器に対しては、さらに一段と高音質によりディジタルオーディオ信号を出力することができる。
【実施例５】
【００６８】
（５）第５の実施例
この第５の実施例において、光ディスク記録装置は、上述の実施例に係る光ディスク記録装置１と同様にしてディジタルオーディオ信号の音質を劣化してディスク原盤２を露光する。このときこの実施例に係る光ディスク記録装置において、ビット操作部５５は、図７に示すように、演算回路５６において、サブコードによる所定数のフレームを単位にして繰り返す８ビットによる音質劣化用のディジタル信号ＰＮを生成し、ディジタル信号のディジタルオーディオ信号の下位側８ビットを演算する。なおここで演算は、対応するビット間の加算処理、減算処理、又は排他的論理和演算等により実行される。これによりこの実施例では、劣化を知覚できるように、ディジタルオーディオ信号の音質を劣化させ、また劣化した音質を回復できるようにする。なおこの音質劣化用のディジタル信号ＰＮにおいては、例えばＰＮ符号による擬似雑音により構成される。なおこの実施例は、本発明の参考例としての実施例である。
【００６９】
これに対応してコンパクトディスクプレイヤーにおいては、上述の実施例に係るコンパクトディスクプレイヤーと同様にしてコンパクトディスクより再生データを得、この再生データよりディジタルオーディオ信号を再生して外部機器に出力する。このときこの実施例に係るコンパクトディスクプレイヤーは、ビット操作部５７において、光ディスク記録装置における処理に対応して音質劣化用のディジタル信号ＰＮを生成する。さらに図８に示すように、演算回路５８により、このディジタル信号ＰＮを再生したディジタルオーディオ信号の下位側８ビットと演算処理し、これによりディジタルオーディオ信号の音質を回復する。
【００７０】
第５の実施例によれば、音質劣化用のディジタル信号とディジタルオーディオ信号とを演算処理してディジタルオーディオ信号の音質を劣化させるようにしても、上述の実施例と同様の効果を得ることができる。
【実施例６】
【００７１】
（６）第６の実施例
この第６の実施例において、光ディスク記録装置は、上述の実施例に係る光ディスク記録装置１と同様にしてディジタルオーディオ信号の音質を劣化してディスク原盤２を露光する。このときこの実施例に係る光ディスク記録装置においては、図９に示すように、リードアウトエリアＡＲ４とユーザーエリアＡＲ２との間に、付加データの記録エリアＡＲ３を形成するようにディスク原盤２を露光してコンパクトディスクを作成する。なおこの実施例は、本発明の参考例としての実施例である。
【００７２】
さらに光ディスク記録装置においては、リードインエリアＡＲ１に記録するＴＯＣの設定により、従来からのコンパクトディスクプレイヤーでは、付加データの記録エリアＡＲ３をアクセスしないように設定する。またディジタルオーディオ信号の所定フレーム（例えば９８フレーム）を単位にして周期的に繰り返す音質劣化用のディジタル信号（８ビットのディジタル信号である）をこの付加データの記録エリアＡＲ３に記録する。
【００７３】
さらにタイムコードを基準にしてこの付加データとディジタルオーディオ信号の下位側８ビットとを演算処理し、劣化を知覚できるように、ディジタルオーディオ信号の音質を劣化させ、また劣化した音質を回復できるようにする。光ディスク記録装置は、この音質の劣化したディジタルオーディオ信号をユーザーエリアＡＲ２に記録する。なおこの音質劣化用のディジタル信号においては、例えばＰＮ符号による擬似雑音により構成される。
【００７４】
これに対応してコンパクトディスクプレイヤーにおいては、上述の実施例に係るコンパクトディスクプレイヤーと同様にしてコンパクトディスクより再生データを得、この再生データよりディジタルオーディオ信号を再生して外部機器に出力する。このときコンパクトディスクプレイヤーにおいては、ＴＯＣのデータよりコンパクトディスクがＥＣＤディスクであると判断すると、付加データの記録エリアＡＲ３をアクセスして音質劣化用のディジタル信号を取得する。さらにタイムコードを基準にして再生したディジタルオーディオ信号と音質劣化用のディジタル信号とを演算処理し、これによりディジタルオーディオ信号の音質を回復する。
【００７５】
第６の実施例によれば、音質を回復する為に必要なディジタル信号を別途コンパクトディスクに記録して伝送するようにしても、上述の実施例と同様の効果を得ることができる。
【実施例７】
【００７６】
（７）第７の実施例
この実施例において、光ディスク記録装置は、上述の実施例に係る光ディスク記録装置１と同様にしてディジタルオーディオ信号の音質を劣化してディスク原盤２を露光する。このとき光ディスク記録装置は、例えば暗号化等の種々の手法によりディジタルオーディオ信号の下位側８ビットを操作し、これによりディジタルオーディオ信号の音質を劣化して記録する。さらにこの劣化させたディジタルオーディオ信号の音質を回復するために必要なキーデータ等をリードアウトエリアとユーザーデータとの間に記録する。これによりこの実施例では、劣化を知覚できるように、ディジタルオーディオ信号の音質を劣化させ、また劣化した音質を回復できるようにする。なおこの実施例は、本発明の参考例としての実施例である。
【００７７】
これに対応してコンパクトディスクプレイヤーにおいては、上述の実施例に係るコンパクトディスクプレイヤーと同様にしてコンパクトディスクより再生データを得、この再生データよりディジタルオーディオ信号を再生して外部機器に出力する。このときコンパクトディスクプレイヤーは、ディジタルオーディオ信号の音質を回復させるために必要なキーデータを事前にコンパクトディスクより再生し、このキーデータによりディジタルオーディオ信号の音質を回復する。
【００７８】
この第７の実施例によれば、暗号化等により音質を劣化させ、この音質を回復させる為に必要な各種のデータを別途記録するようにしても、上述の第６の実施例と同様の効果を得ることができる。
【実施例８】
【００７９】
（８）第８の実施例
この実施例において、光ディスク記録装置は、ディジタルオーディオ信号を上位側８ビットと下位側８ビットに分解した後、例えばディジタルオーディオ信号のフレームを単位にしてこの下位側８ビットを所定の規則により入れ替え、ディジタルオーディオ信号の音質を劣化する。これにより光ディスク記録装置は、上述した実施例に係る振幅方向の操作に代えて、時間軸方向の操作によりディジタルオーディオ信号の音質を知覚可能に、また回復可能に劣化させる。光ディスク記録装置は、このディジタルオーディオ信号によりディスク原盤を露光する。なおこの実施例は、本発明の参考例としての実施例である。
これに対応してこの実施例に係るコンパクトディスクプレイヤーにおいては、コンパクトディスクを再生して得られるディジタルオーディオ信号を上位側８ビット及び下位側８ビットに分解し、光ディスク記録装置における時間軸方向の操作に対応して下位側８ビットを入れ替え、これによりディジタルオーディオ信号の音質を回復する。
【００８０】
第８の実施例のように、時間軸方向にディジタルオーディオ信号を操作して音質を劣化させるようにしても、上述の実施例と同様の効果を得ることができる。
【実施例９】
【００８１】
（９）第９の実施例
この実施例においては、光ディスク記録装置は、上述の実施例に係る光ディスク記録装置１と同様にして音質の劣化したディジタルオーディオ信号によりディスク原盤２を露光する。
【００８２】
このとき光ディスク記録装置は、図１０に示すビット操作部６１によりディジタルオーディオ信号を処理し、これにより従来からのコンパクトディスクプレイヤーによってはほぼモノラルにより再生されるように、ディジタルオーディオ信号を操作する。これにより光ディスク記録装置は、知覚することができるようにディジタルオーディオ信号の音質を劣化させ、またこの音質の劣化を回復することができるようにする。
【００８３】
すなわちビット操作部６１においては、各１６ビットによる右チャンネル及び左チャンネルのディジタルオーディオ信号Ｒ及びＬを演算回路６２に入力し、ここで対応するデータ間で所定の演算処理を実行することにより、（Ｒ＋Ｌ）／２、（Ｒ−Ｌ）／２により表される各１６ビット、２チャンネルのディジタルオーディオ信号を生成する。
【００８４】
ビット操作部６１は、この２チャンネルのディジタルオーディオ信号のうち、加算信号である（Ｒ＋Ｌ）／２のディジタルオーディオ信号ＬＭを主のディジタルオーディオ信号として従来のコンパクトディスクにおける左チャンネルに割り当てて出力する。
【００８５】
比較回路６３は、残る１チャンネルの（Ｒ−Ｌ）／２により表されるディジタルオーディオ信号の上位８ビットと、所定の基準データＲＥＦとを比較し、このようにして生成される（Ｒ−Ｌ）／２により表されるディジタルオーディオ信号においてはデータ量が少ないことにより、この（Ｒ−Ｌ）／２により表されるディジタルオーディオ信号が下位側８ビットにより表現可能か否か判断する。
【００８６】
選択回路６４は、合成ディジタルオーディオ信号ＤＭと、右チャンネルのディジタルオーディオ信号Ｒとを比較回路６３の比較結果ＳＥＬに基づいて選択的に出力する。ここで合成ディジタルオーディ信号ＤＭは、（Ｒ−Ｌ）／２により表されるディジタルオーディオ信号の下位側８ビットと、（Ｒ＋Ｌ）／２のディジタルオーディオ信号ＬＭの上位側８ビットとをそれぞれ下位側８ビットと上位側８ビットに割り当てて生成される。
【００８７】
すなわち選択回路６４は、この（Ｒ−Ｌ）／２により表されるディジタルオーディオ信号が下位側８ビットにより表現可能な場合、すなわち（Ｒ−Ｌ）／２により表されるディジタルオーディオ信号が８ビットよりオーバーフローしない場合、この合成ディジタルオーディオ信号ＤＭを選択出力する。
【００８８】
これに対してこの（Ｒ−Ｌ）／２により表されるディジタルオーディオ信号が下位側８ビットにより表現困難な場合、すなわち（Ｒ−Ｌ）／２により表されるディジタルオーディオ信号が８ビットよりオーバーフローする場合、右チャンネルのディジタルオーディオ信号Ｒを選択出力する。
【００８９】
ビット操作部６１は、この選択回路６４より出力されるディジタルオーディオ信号ＬＳを副のディジタルオーディオ信号として従来のコンパクトディスクにおける右チャンネルに割り当てて出力する。
【００９０】
この光ディスク記録装置では、このビット操作部６１より出力される２チャンネルのディジタルオーディオ信号ＬＭ及びＬＳによりディスク原盤を露光する。これらによりこの実施例では、ディジタルオーディオ信号をチャンネル間で操作し、ディジタルオーディオ信号の音質を劣化する。
【００９１】
これに対応してコンパクトディスクプレイヤーは、上述の実施例に係るコンパクトディスクプレイヤーと同様にしてコンパクトディスクより再生データを得、この再生データよりディジタルオーディオ信号を再生して外部機器に出力する。このときコンパクトディスクプレイヤーは、図１１に示すビット操作部６５によりディジタルオーディオ信号の音質を回復する。
【００９２】
すなわちビット操作部６５においては、コンパクトディスクより再生された２チャンネルのディジタルオーディオ信号ＬＭ及びＬＳを比較回路６６に入力し、ここでこれらディジタルオーディオ信号ＬＭ及びＬＳの上位側８ビットが一致するか否か判断する。
【００９３】
演算回路６７は、この２チャンネルのディジタルオーディオ信号ＬＭ及びＬＳを受け、主のディジタルオーディオ信号ＬＭの振幅を２倍に乗算した後、副のディジタルオーディオ信号ＬＳより減算する。これにより演算回路６７は、（Ｒ−Ｌ）／２により表されるディジタルオーディオ信号が８ビットよりオーバーフローして、副のディジタルオーディオ信号ＬＳに右チャンネルのディジタルオーディオ信号Ｒが割り当てられている場合に、左チャンネルＬを表すディジタルオーディオ信号を再生する。演算回路６７は、このようにして生成したディジタルオーディオ信号を副のディジタルオーディオ信号ＬＳと共に出力する。
【００９４】
演算回路６８は、この２チャンネルのディジタルオーディオ信号ＬＭ及びＬＳを受け、これら２つのディジタルオーディオ信号ＬＭ及びＬＳを加算及び減算する。これにより演算回路６７は、副のディジタルオーディオ信号ＬＳの下位８ビットに（Ｒ−Ｌ）／２により表されるディジタルオーディオ信号が割り当てられている場合に、それぞれ左チャンネルＬ及び右チャンネルＲを表すディジタルオーディオ信号を再生する。
【００９５】
選択回路６４は、比較回路６６の比較結果ＳＥＬに基づいて、これら２つの演算回路６７及び６８より出力される２チャンネルのディジタルオーディオ信号を選択出力する。すなわちディジタルオーディオ信号ＬＭ及びＬＳの上位側８ビットが一致する場合、この場合副のディジタルオーディオ信号ＬＳの下位側８ビットに（Ｒ−Ｌ）／２により表されるディジタルオーディオ信号が割り当てられていることにより、選択回路６８より出力されるディジタルオーディオ信号を選択出力する。これに対してディジタルオーディオ信号ＬＭ及びＬＳの上位側８ビットが一致しない場合、この場合副のディジタルオーディオ信号ＬＳに右チャンネルのディジタルオーディオ信号が割り当てられていることにより、選択回路６７より出力されるディジタルオーディオ信号を選択出力する。
【００９６】
このコンパクトディスクプレイヤーは、このようにして品質の回復したディジタルオーディオ信号を第１の実施例と同様に出力する。
【００９７】
第９の実施例のように、チャンネル間でディジタルオーディオ信号を操作して音質を劣化させても、上述の実施例と同様の効果を得ることができる。
【実施例１０】
【００９８】
（１０）第１０の実施例
この実施例においては、光ディスク記録装置は、上述の実施例に係る光ディスク記録装置１と同様にして音質の劣化したディジタルオーディオ信号によりディスク原盤２を露光する。さらにチャンネル間でビットを操作してディジタルオーディオ信号の音質を劣化させる。
【００９９】
このときこの実施例では、上述の第９の実施例の場合と同様にして（Ｒ＋Ｌ）／２及び（Ｒ−Ｌ）／２により表されるディジタルオーディオ信号を生成する。さらにこの２チャンネルのディジタルオーディオ信号のうち、（Ｒ＋Ｌ）／２により表されるディジタルオーディオ信号を従来の右及び左チャンネルに割り当てて記録する。これに対して（Ｒ−Ｌ）／２により表されるディジタルオーディオ信号においては、データ量が少ないことにより、データ圧縮し、サブコードに割り当ててディスク原盤に記録する。
【０１００】
これにより光ディスク記録装置は、チャンネル間でディジタルオーディオ信号を操作してディジタルオーディオ信号の品質を劣化させ、さらにこの品質の劣化を知覚できるようにし、また劣化した品質を回復できるようにする。
【０１０１】
これに対応してコンパクトディスクプレイヤーは、上述の実施例に係るコンパクトディスクプレイヤーと同様にしてコンパクトディスクより再生データを得、この再生データよりディジタルオーディオ信号を再生して外部機器に出力する。このときコンパクトディスクプレイヤーは、サブコードより得られる（Ｒ−Ｌ）／２により表されるデータと、ディジタルオーディオ信号として再生される（Ｒ＋Ｌ）／２により表されるデータとを順次演算処理し、これにより２チャンネルのディジタルオーディオ信号を再生して出力する。
【０１０２】
第１０の実施例のように、チャンネル間でディジタルオーディオ信号を操作し、音質の回復に必要なデータをサブコードにより伝送するようにしても、上述の実施例と同様の効果を得ることができる。
【実施例１１】
【０１０３】
（１１）第１１の実施例
この実施例においては、図９について上述したように、リードアウトエリアＡＲ４とユーザーエリアＡＲ２との間に付加データの記録エリアＡＲ３を形成する。さらに第１０の実施例について上述したサブコードに代えて、この付加データの記録エリアＡＲ３に（Ｒ−Ｌ）／２により表されるディジタルオーディオ信号を記録する。
【０１０４】
これに対応してコンパクトディスクプレイヤーにおいては、２つの光ピックアップによりユーザーエリアＡＲ２及び付加データの記録エリアＡＲ３を同時並列的にアクセスする。または１つの光ピックアップを繰り返しシークさせてユーザーエリアＡＲ２及び付加データの記録エリアＡＲ３を交互にアクセスすると共に、各エリアＡＲ２及びＡＲ３より得られる再生データをバッファリングして出力する。これによりコンパクトディスクプレイヤーは、（Ｒ−Ｌ）／２により表されるデータと、（Ｒ＋Ｌ）／２により表されるデータとを同時並列的に処理できるように、コンパクトディスクを再生する。さらに再生した（Ｒ−Ｌ）／２により表されるデータと、（Ｒ＋Ｌ）／２により表されるデータとを順次演算処理し、これにより２チャンネルのディジタルオーディオ信号を再生して出力する。
【０１０５】
第１１の実施例のように、チャンネル間でディジタルオーディオ信号を操作し、この操作した各チャンネルを個別に伝送するようにしても、上述の実施例と同様の効果を得ることができる。
【実施例１２】
【０１０６】
（１２）他の実施例
なお上述の第１の実施例においては、２ビットの組を単位にして一定の規則によりビット操作する場合について述べたが、本発明はこれに限らず、例えばビット反転によりビット操作する場合、下位側８ビットの各ビットを所定規則により入れ換えてビット操作する場合等に広く適用することができる。
【０１０７】
また上述の第３の実施例においては、付加的データであるキーデータによりディジタルオーディオ信号の音質を劣化させると共に、この付加データをコンパクトディスクの外周側に記録する場合について述べたが、本発明はこれに限らず、例えばコンパクトディスクに関連する有意な情報を伝送するデータ等を記録し、このデータとディジタルオーディオ信号との間の論理演算によりディジタルオーディオ信号の音質を劣化させてもよい。なおこの場合、この種の有意義な情報を伝送するデータとしては、著作権者を示すテキストデータ、歌詞のテキストデータ、ジャケットの画像データ、関連する著作物を案内するＨＴＭＬデータ等を適用することができる。
【０１０８】
これに対応してコンパクトディスクプレイヤーにおいては、この有意な情報を伝送するデータにより、コンパクトディスクに関する情報を表示し、またこのデータを用いて音質を回復することができる。さらにこれらの場合に、外周側に記録するこの有意なデータを別途暗号化して記録してもよい。
【０１０９】
また上述の第４の実施例においては、１８ビットのディジタルオーディオ信号より下位側８ビットをデータ圧縮して上位側１０ビットと合成することにより、この１８ビットのディジタルオーディオ信号の音質を劣化させて記録する場合について述べたが、本発明はこれに限らず、例えば２０ビットのディジタルオーディオ信号を上位側１６ビット、下位側４ビットのディジタルオーディオ信号に分解し、この下位側４ビットのディジタルオーディオ信号をコンパクトディスクの外周側に記録すると共に、１６ビットのディジタルオーディオ信号の下位側４ビットと、この外周側に記録する４ビットのディジタルオーディオ信号との論理演算によりディジタルオーディオ信号の音質を劣化させてもよい。このようにすれば、このコンパクトディスクを再生する専用機においては、この音質を劣化させた処理に対応する処理を実行することにより、一段と高音質によりディジタルオーディオ信号を出力することができる。
【０１１０】
また上述の実施例のうちの多くは、ディジタルオーディオ信号の下位側８ビットについて、ビット操作してディジタルオーディオ信号の音質を劣化させ、また回復させる場合について述べたが、本発明はこれに限らず、必要に応じてビット操作するビット数は、６ビット、４ビット、２ビット等、種々に設定することができ、またディジタルオーディオ信号の所定ビットだけをビット操作しても同様の効果を得ることができる。
【０１１１】
また上述の実施例においては、ディジタルオーディオ信号の全ビットに対して一定の割合である所定のビットを操作して音質を劣化させ、また劣化した音質を回復させる場合について述べたが、本発明はこれに限らず、この操作するビット数を例えばディジタルオーディオ信号の振幅に応じて変化させ、これによりディジタルオーディオ信号に応じて、劣化させる程度、回復させる程度を可変してもよい。またこれに代えて、タイムコード等により操作するビット数を変化させ、これにより劣化の程度、回復させる程度を可変してもよい。
【０１１２】
さらにこれらの場合に、ディジタルオーディオ信号のピーク値、ダイナミックレンジ、周波数スペクトラムの分布等に応じて操作するビット数を変化させることにより、ディジタルオーディオ信号に応じて、劣化させる程度、回復させる程度を可変してもよい。このようにすれば、ソースによって変化する聴感上の音質劣化を種々に操作することができる。
【０１１３】
なおこれらの場合に、ソースのジャンルによって操作するビット数を可変しても、同様の効果を得ることができる。すなわち、例えばクラッシック曲のピアノソロなどは、ダイナミックレンジが大きく、かつ音量の小さな部分においては極端に信号レベルが低下し、ビット操作するビット数を少なくしても、音質劣化を確実に知覚させることができる。これに対してポップス等にあっては、比較的ダイナミックレンジが小さく、音量の小さな部分においても信号レベルの低下が比較的小さい特徴がある。これによりポップス等にあっては、ピアノソロ等に比してビット操作するビット数を増大して、ピアノソロ等の場合と同程度に音質劣化を知覚させることができる。
【０１１４】
また上述の実施例においては、著作権を確実に保護できる場合には、音質を完全に回復してディジタルオーディオ信号を出力し、それ以外の場合には、音質を何ら回復することなく出力する場合について述べたが、本発明はこれに限らず、外部機器に応じて音質劣化の程度を可変してもよい。すなわちこの場合、上述の第１の実施例において、例えば従来のＳＣＭＳによる外部機器にディジタルオーディオ信号を出力する場合、１６ビット中１２ビットだけ正しいディジタル値により出力する場合等が考えられる。
【０１１５】
またこれらの場合に、図１２に示すように、例えばＩＥＥＥ１３９４等により接続された外部機器７０より機器ＩＤを取得し、この機器ＩＤを基準にしたビット操作により外部機器に応じてディジタルオーディオ信号の音質を劣化させても良い。因みに、この場合、コンパクトディスクプレイヤー７１側のビット操作部７２において、例えば暗号化によりビット操作してディジタルオーディオ信号ＤＭの音質を劣化させるようにする。
【０１１６】
これに対して外部機器７０において、記録系においては、入力されたディジタルオーディオ信号を何らビット操作することなく記録できるように構成し、この外部機器の機器ＩＤを基準にしてディジタルオーディオ信号の品質を回復するビット操作部を再生系に配置する。
【０１１７】
このようにすれば、この外部機器７０で再生する場合にだけ高音質でディジタルオーディオ信号を再生できるように設定でき、私的なコピーだけ高音質により楽しむことができる。これによりこの外部機器７０でコピーした記録媒体の違法な配布を防止することができる。
【０１１８】
またこれらとは逆に、ディジタルオーディオ信号の送出先の機器より取得した機器ＩＤを判定して、例えばコンパクトディスクプレイヤーと一体化されたミニディスク装置のような機器にディジタルオーディオ信号を出力する場合にだけ、ディジタルオーディオ信号の音質を回復して出力するようにする。
【０１１９】
このときこの一体化された機器においては、高音質により入力されるディジタルオーディオ信号を自己の機器ＩＤを基準にして音質を劣化させて記録し、また再生されたディジタルオーディオ信号の音質を自己の機器ＩＤを基準にして回復するようにする。このようにしても私的なコピーについてだけ高音質により楽しむことができるようにでき、コピーした記録媒体の違法な配布を防止することができる。
【０１２０】
さらに上述の実施例においては、コンパクトディスクに記録するディジタルオーディオ信号について音質を劣化させる場合について述べたが、本発明はこれに限らず、ミニディスク装置等、記録再生系を一体化した光ディスク装置、ディジタルオーディオテープレコーダ等に広く適用することができる。なおこの場合、ディジタルオーディオ信号を外部機器との間で入出力する場合だけでなく、ディジタルオーディオ信号を記録媒体に記録再生する場合にも音質を劣化、回復するようにし、この記録再生時における音質の劣化、回復を各機器の機器ＩＤ、製造番号等を基準にして実行することにより、私的な目的以外の複製を著しく制限することができる。
【０１２１】
さらに上述の実施例においては、コンパクトディスクに記録するディジタルオーディオ信号について音質を劣化させる場合について述べたが、本発明はこれに限らず、例えばディジタル衛星放送、インターネット等を介してディジタルオーディオ信号を伝送する場合等にも広く適用することができる。
【０１２２】
また上述の実施例においては、ディジタルオーディオ信号を伝送する場合について述べたが、本発明はこれに限らず、ディジタルビデオ信号等、種々のディジタル信号を伝送する場合に広く適用することができる。
【産業上の利用可能性】
【０１２３】
本発明は、ディジタル信号の伝送装置、ディジタル信号の伝送方法及びディジタル信号の記録媒体に関し、例えばコンパクトディスクと、コンパクトディスクの記録再生装置に適用することができる。
【図面の簡単な説明】
【０１２４】
【図１】本発明の第１の実施例に係る光ディスク記録装置を示すブロック図である。
【図２】図１の光ディスク記録装置の動作の説明に供する図表である。
【図３】本発明の第１の実施例に係るコンパクトディスクプレイヤーを示すブロック図である。
【図４】図３のコンパクトディスクプレイヤーの動作の説明に供する図表である。
【図５】第４の実施例に係る光ディスク記録装置に適用されるビット操作部を示すブロック図である。
【図６】第４の実施例に係るコンパクトディスクプレイヤーに適用されるビット操作部を示すブロック図である。
【図７】第５の実施例に係る光ディスク記録装置に適用されるビット操作部を示すブロック図である。
【図８】第５の実施例に係るコンパクトディスクプレイヤーに適用されるビット操作部を示すブロック図である。
【図９】第６の実施例に係るコンパクトディスクを示す斜視図である。
【図１０】第９の実施例に係る光ディスク記録装置に適用されるビット操作部を示すブロック図である。
【図１１】第９の実施例に係るコンパクトディスクプレイヤーに適用されるビット操作部を示すブロック図である。
【図１２】他の実施例に係るオーディオシステムを示すブロック図である。
【符号の説明】
【０１２５】
１……光ディスク記録装置、２……ディスク原盤、１０、２８、５０、５２、５５、５７、６１、６５……ビット操作部、２０、７１……コンパクトディスクプレイヤー、２９……ディスク判別部、３３……外部機器判別部
【図１】
2007311017.tif 000003
【図２】
2007311017.tif 000004
【図３】
2007311017.tif 000005
【図４】
2007311017.tif 000006
【図５】
2007311017.tif 000007
【図６】
2007311017.tif 000008
【図７】
2007311017.tif 000009
【図８】
2007311017.tif 000010
【図９】
2007311017.tif 000011
【図１０】
2007311017.tif 000012
【図１１】
2007311017.tif 000013
【図１２】
2007311017.tif 000014